(57)【要約】【課題】手すり等の表面に形成した蓄光剤の配合樹脂層から発光を広領域に発散することができるとともに、手すり等の芯材表面に形成した蓄光剤配合樹脂層が剥げ落ちたり、脱離することのなく、長期間に亘る発光を維持できる発光性樹脂構成材を提供することである。【解決手段】手すり１は、芯材２の周面全体に、白系色の樹脂材からなる下地樹脂層３と、透明色の樹脂材に蓄光剤を配合した表面樹脂層４とがそれぞれ一体的に被覆形成されてなることを特徴する。【選択図】図１
2006028875.tif 000002
【特許請求の範囲】
【請求項１】
芯材の周面全体に、白系色の樹脂材からなる下地樹脂層と、透明色の樹脂材に蓄光剤を配合した表面樹脂層とがそれぞれ一体的に被覆形成されてなることを特徴する発光性樹脂構成材。
【請求項２】
前記表面樹脂層に、抗菌剤や耐候剤が配合される請求項１に記載された発光性樹脂構成材。
【請求項３】
前記下地樹脂層と前記表面樹脂層とが、同質の樹脂材によってなるとともに、二層同時押出成型されてなる請求項１又は２に記載された発光性樹脂構成材。
【発明の詳細な説明】
【技術分野】
【０００１】
本発明は、建物内外等の光源のない場所、あるいは光源はあっても、その光源を使用できない場所において利用するのに適した発光性樹脂構成材に関するものである。
【背景技術】
【０００２】
従来、建物内外等において、歩行者の安全を補助するために手すり等が設置され、また案内標識板も用意されている。しかし、夜間に暗くなった時、照明等の光源がなければ、その手すり等の存在を確認することは困難である。
【０００３】
このため、建物内外等における廊下や階段等の、夜間に電源のない場所で目印を作るためには、従来、特許文献１のように、住宅の廊下や階段の手すり等の芯材としてのステンレス等に蛍光塗料を塗布することや、特許文献２および特許文献３のように、基材に蓄光顔料等を配合した樹脂材が貼り付け、あるいは固定される構成が採用されてきた。
【０００４】
これらの従来構成の手すり等では、塗布した蛍光塗料や芯材表面に貼付けあるいは固定した蓄光顔料を含有樹脂層に外部からの入照射光を受けて光量を蓄積し、その蓄積した光量を再び外部へ発光させるものである。
【特許文献１】特開２０００−２８２６５５号公報
【特許文献２】特開２０００−２４８７１３号公報
【特許文献３】特開２００２−  ６１３６０号公報
【発明の開示】
【発明が解決しようとする課題】
【０００５】
しかしながら、上従来例の場合は、蛍光塗料や蓄光顔料からの発散光は、入射した光量を蛍光塗料や蓄光顔料に蓄光し、この蓄光した光量を蛍光塗料や蓄光顔料から直接的な発光に基づいたものに限られていたので、その発光強度は比較的に弱く、またその発光期間も限定されたものであった。しかも、芯材表面に塗布された蛍光塗料や取付けあるいき固定された蓄光顔料を含有樹脂が、その芯材から剥げ落ちたり、脱落等するおそれがあったので、蛍光塗料や蓄光顔料が、目印として必要な発光力や長期間にわたり発光を持続するには難しく、手すり等における発光力や発光期間を長期間維持することは困難であった。
【０００６】
そこで、本発明は、手すり等の表面に形成した蓄光剤の配合樹脂層から発光を広領域に発散することができるとともに、手すり等の芯材表面に形成した蓄光剤配合樹脂層が剥げ落ちたり、脱離することのなく、長期間に亘る発光を維持できる発光性樹脂構成材を提供することを目的とした。
【課題を解決するための手段】
【０００７】
上記の目的を達成するため、本発明の発光性樹脂構成材は、芯材の周面全体に、白系色の樹脂材からなる下地樹脂層と、透明色の樹脂材に蓄光剤を配合した表面樹脂層とがそれぞれ一体的に被覆形成されてなることを特徴する。
【０００８】
この構成により、外部からの入射光を効率的に表面樹脂層に受け入れることができるともに、下地樹脂層で反射光を効率的に反射させて、表面樹脂層に配合した蓄光剤に入射光の光量を効率的に蓄光させることができる。このように蓄光剤に蓄光された光量は、表面樹脂層から高い強度で長期間安定して外部に発散させることが可能となる。
【０００９】
本発明は、前記表面樹脂層に、抗菌剤や耐候剤が配合される構成を含む。
【００１０】
この構成により、この発光性樹脂構成材の表面樹脂層に、発光性のほか、抗菌性や耐候性の性能を保持させることが可能となる。
【００１１】
本発明は、前記下地樹脂層と前記表面樹脂層とが、前記下地樹脂層と前記表面樹脂層とが、同質の樹脂材からなるとともに、二層同時押出成型されてなる構成を含む。
【００１２】
この構成により、被覆される下地樹脂層と表面樹脂層との一体的構成を一層高めることができる。
【発明の効果】
【００１３】
上記したように本発明は構成されるから、次の効果が発揮される。
【００１４】
先ず、本発明によれば、表面樹脂層の樹脂材が透明色であることにより、外部からの入射光を高率的に表面樹脂層に受け入れることが可能となる。また、表面樹脂層に受け入れられた入射光は下地樹脂層における樹脂材の白系色によって効率的に反射されるので、表面樹脂層の蓄光剤に入射光の光量を効率的に蓄光することが可能となる。また、表面樹脂層の蓄光剤に蓄光された光量は、蓄光剤から発散され、またこの発散された光は白系色の下地樹脂層および透明色の表面樹脂層から効果的に外部へ発散される。このため、人は発光性樹脂構成材における蓄光剤からの強い発散光を目印として効果的かつ長期間に亘りに認識することが可能となる。
【００１５】
また、下地樹脂層と表面樹脂層とは芯材の周面全体に一体的に被覆形成されており、表面樹脂層が、下地樹脂層から剥がれたり、脱落したりするのを防止できるので、表面樹脂層の蓄光剤から発散される強い発光力を長期間に亘り確保することが可能となる。また、この下地樹脂層と表面樹脂層との一体的構成により、当該発光性樹脂構成材に曲がり部やひねり部が形成されていても、表面樹脂層における蓄光剤からの発光状態はそのまま保持される。
【００１６】
また、芯材の表面全体に下地樹脂層と表面樹脂層とが、同質の樹脂材からなるとともに、これらの各層が二層同時成型されることにより被覆されることによって、これらの各層が芯材表面により強い強度で一体的に被覆形成されるので、蓄光剤の発光状態をより長期間に亘り持続させることができる。
【発明を実施するための最良の形態】
【００１７】
以下、図を参照しながら本発明を実施する最良の形態の一例として、手すりについて、図を参照して説明する。なお、本発明の発光性樹脂構成物は手すりに限定されるものではない。
【００１８】
図１に示すように、手すり１は、その芯材２の表面全体に沿って、白系色の下地樹脂層３と、透明色の樹脂材に蓄光剤５を配合した表面樹脂層４とを一体的に被覆形成したものである。
【００１９】
芯材２は、手すり１のベースとなるもので、ステンレス管等の金属材のほか、木材、樹脂材等であってもよい。図示する芯材２は、断面形が円形状のものであるが、必要に応じて矩形状等多様な形状のものであってもよい。
【００２０】
下地樹脂層３は、厚さが２. ０〜２. ５ｍｍで形成されている。下地樹脂層３は、芯材２の表面に直接接する状態で形成される。このため、下地樹脂層３は、芯材２の表面に対し物理的に密着性が大きいものであることが好ましい。また、芯材２の表面における物理的な密着強度を高めるために、芯材２の表面が凹凸形状に形成されていてもよい。
【００２１】
下地樹脂層３の樹脂材は表面樹脂層４での入射光を効率的に反射させることができる白系色の配色となっている。この下地樹脂層３における白系色は、入射光等を高い反射強度で効果的に反射することが可能な配色を意味しており、本来の白色のほか、白色に類する淡彩色等の配色を含む。
【００２２】
表面樹脂層４は、厚さ０. ５〜１. ０ｍｍで形成されている。表面樹脂層４は、外部からの入射光を良好に取り込むことができる透明性の高い樹脂材によって形成されている。この表面樹脂層４における透明性は、外部からの入射光を確実に受け入れることが可能である限り、表面樹脂層４の樹脂材の透明色は半透明色であってもよい。
【００２３】
手すり１は人の手が直接触れる機会が多い構成材であることから、その外表面の衛生を保つために、表面樹脂層４の樹脂材には、抗菌剤や耐候剤を配合することができる。この抗菌剤等の好ましい配合量は、表面樹脂層４での透明性に悪影響を及ぼさない程度の量である。
【００２４】
蓄光剤５としては、蓄光顔料、蛍光顔料等の種種の発光性の顔料を用いることができる。例えば、硫化亜鉛などのアルカリ土金属硫化物に付活剤（銅、銀、ビスマス、マンガン等）を微量加えたもののほか、ローダミン、エオシンなどの蛍光染料、ローダミンのタングステン酸塩などの蛍光顔料を用いることができる。
【００２５】
表面樹脂層４における蓄光剤５の好ましい配合量は、重量比で３〜５％の量であることが好ましい。蓄光剤５の配合量が５重量％以上であると、表面樹脂層４における発光層として有効ではあるが、発光の持続効率が低下する欠点があり、不経済となる。また畜光剤５の配合量が３重量％未満であると、発光不足となり、発光層としての有効性に劣ることになるからである。
【００２６】
芯材２の表面全体に下地樹脂層３と表面樹脂層４とが一体的に形成されることによって、表面樹脂層４が下地樹脂層３から剥がれたり、脱落するのを防止することができる。これらの各層を一体的に形成するには、各層の樹脂材が相互に相溶性のある樹脂材であるほか、各層の樹脂材を同質の樹脂材とすることができる
。
【００２７】
また、下地樹脂層３と表面樹脂層４の樹脂材としては、例えば、塩化ビニル樹脂等の同質の樹脂材とし、これを同時押出成型により芯材２の表面に形成する場合、これら各層の樹脂材を同時に硬化させることが可能となるので、各層の一体性を極めて高い状態とすることができる。
【００２８】
図２は、手すり１に外部から入射光が入射する状態を示した。図示するように、表面樹脂層４に入射光６が入射するとき、入射光６は表面樹脂層４の透明色に応じて、表面樹脂層４に配合されている蓄光剤５に直接照射することにより受け入れた光量を蓄光するほか、直接畜光剤５に直接照射しない入射光７が下地樹脂層３の白系色によって反射した光量が同時に蓄光される。これにより、蓄光剤５ではより多いの蓄光量を確保することができる。このように蓄光剤５で多量の光量が蓄光されると、蓄光剤５では、強い発散強度で長期間に亘る蓄光量を確保することが可能となる。
【００２９】
図３には、上記したように、蓄光剤５で蓄光した光量を表面樹脂層４から発光する状態を示した。この場合、蓄光剤５に蓄光した光量は、直接蓄光剤５から発散される発散光８のほか、蓄光剤５から下地樹脂層３の白系色による反射発散光９が表面樹脂層４の透明色に応じて外部へ発散されることになる。
【００３０】
このように、発散光８と反射発散光９とを合わせた光量が表面樹脂層４から外部に発散されることになるから、表面樹脂層４から強い強度の発光量で、長期間に亘る発光が維持される。しかも、表面樹脂層４は下地樹脂層３に一体的に形成されているから、表面樹脂層４は下地樹脂層３から剥がれたり、脱落したりすることがないので、人は、手すり１を長期間に亘り目印として利用することが可能となる。
【００３１】
以上は、手すり１を本発明に係る発光性樹脂構成材の実施例として示したものであるが、本発明の発光性樹脂構成材は、手すり１のほか、夜間又は暗所での目印や公園内の道案内等についても、昼間太陽光線からの入射光を入射して蓄光し、夜間発光させることができる所であれば、上記同様に利用することができる。
【図面の簡単な説明】
【００３２】
【図１】本発明に係る実施例の手すりの縦断面図である。
【図２】本発明に係る実施例の手すりにおける入射光の蓄光状態を説明する部分縦断面図である。
【図３】本発明に係る実施例の手すりにおける蓄光剤からの発散光の発散状態を説明する部分縦断面図である。
【符号の説明】
【００３３】
１  手すり
２  芯材
３  下地樹脂層
４  表面樹脂層
５  蓄光剤
６  入射光
７  反射光
８  発散光
９  反射発散光
【図１】
2006028875.tif 000003
【図２】
2006028875.tif 000004
【図３】
2006028875.tif 000005